Podtech/llm-jp-corpus-v4-ja_patent huggingface dataset:
(57)【要約】      （修正有）【課題】刈り取り機による草刈りや草取りの農作業において、安全に作業ができるとともに、隣接作物植木の損傷を防護できる農具を提供する。【解決手段】刈り取り機のネックに、短冊ねじれ型鋼刃をボルト３で取り付け、作物植木の畝株間の間隔に合わせ、飛散物防護カバー５を適合位置にジョイント９で配置する。畝株間の繁茂雑草に向かって挿入し草取り状況を確認しながら押し進める。【選択図】図２
0003215909.tif 000002
【実用新案登録請求の範囲】
【請求項１】
草刈り草取りに、短冊ねじれ型鋼刃を回転、摩耗した刃を反転して使用、被せる如く飛散物防護カバー設置し、人体、作物植木等の損傷を防ぐ、刈り取り機に両具を装着した農具。
【考案の詳細な説明】
【技術分野】
【０００１】  この考案は主に作物、植木等の畝株間の雑草の草刈り草取りを、短冊ねじれ型鋼刃の切削する両面を下方に向け鋭くし、左回転で処理し、そこから飛び出す飛散物を防護カバー内で受け止め取め、人体、隣接する作物、植木等の損傷を防護をする農具
【背景技術】
【０００２】  短冊型鋼刃は抵抗が多く機種の限定で利用がない、飛散物防護カバーの設置は見受けられない。
【考案開始】
【考案が解決しようとする課題】
【０００３】  そのために次のような問題点があった。
作物植木等の畝株間の草刈り、草取りに短冊矩形平盤は摩擦抵抗が多く，刈り取り機利用がすくない、飛散物防護カバーの設置もなく、本具の短冊ねじれ型鋼刃は接触部分が交互であり抵抗が小さい、摩耗反転しその利用を高める、そのため飛散物防護カバーの必要性が更に此処にある、ジョイントの回転で飛散物防護カバーを上側下側位置に変えることが出来、機種の多様に対応出来る。
【課題を解決するための手段】
【０００４】  作物植木の畝株間を見極め、飛散物防護カバー内方の位置づけを、短冊ねじ型鋼刃と平行にし、接触しない間隔をとり、上側か、下側か、ジョイントで安定位置を決め、刃の回転威力で雑草を処理しその飛散物の人的の安全とその隣接する作物植木の損傷防護を目的とする。
【考案の効果】
【０００５】  刈り取り機、背負い式、肩掛け式のいずれにも、短冊ねじれ型鋼刃をネックに取り付け、作物植木の畝株間の間隔に合わせ、飛散物防護カバーの内方を上側、下側に適合位置にジョイントで配置し、身につける締め込みベルトを装着し畝株間に繁茂雑草に向かって挿入し草取り状況を確認し押し進める。
【考案を実施するための最良の形態】
【０００６】      以下本考案の実施の形態について説明する。
（イ）刈り取り機のネック（３）に短冊ねじれ型鋼刃（１）を取り付ける。
（ロ）飛散物防護カバー内方辺と刃との接触しない平行に定める
（ハ）飛散物防護カバー設定位置を上側（１０）下側（９）何れかに設定。
（ニ）飛散物防護カバー切り込抑え止め紐とうし穴（１１）でしめる。
本考案は、以上の構造で、これを使用するときは畝株間に挿入し対象雑草に向かい推し進める、上からかぶせる如くすることで刈り取り草取りが出来る。
【図面の簡単な説明】
【０００７】
【図１】  本考案の短冊ねじれ型鋼刃の斜視図
【図２】  本考案の飛散物防護カバー下側ジョイント斜視図
【図３】  本考案の飛散物防護カバー上側ジョイント斜視図
【符号の説明】
【０００８】  １    短冊ねじれ型鋼刃先端
２    短冊ねじれ型鋼刃反対先端
３    短冊ねじれ型鋼刃締め込みボルト
４    起動シャフト
５    飛散物防護カバー
６    カバーパイプ抑えパイプ
７    カバーパイプ抑え度め
８    起動シャフト挿入切り込み
９    下側飛散物防護カバージョイント
１０    上側飛散物防護カバージョイント
１１    下側飛散物防護カバー締め込み紐とうし穴
【図１】
0003215909.tif 000003
【図２】
0003215909.tif 000004
【図３】
0003215909.tif 000005
【手続補正書】
【提出日】平成30年1月25日(2018.1.25)
【手続補正１】
【補正対象書類名】実用新案登録請求の範囲
【補正対象項目名】全文
【補正方法】変更
【補正の内容】
【実用新案登録請求の範囲】
【請求項１】
刈り取り機に、短冊ねじれ型鋼刃を回転、反転して使用し、飛散物からの人体、作物植木等の傷害を防護する円筒型カバーを設置、刈り取り機に刃を取り付け飛散物防護カバーを被るが如く装着し起動する農具である。
(57)【要約】      （修正有）【課題】ゴルフスウィングの素振り練習において、一番大事なスウィングの再現性を自分で音を聞き確認しながら練習ができる、ゴルフ練習具を提供する。【解決手段】疑似クラブのシャフトの上部と下部に複数の穴１、２を設けて、疑似クラブを振る時の方向やスピードによって疑似クラブ近傍の空気の流れを変化させ、疑似クラブによって発生する風切音が変わる事を特徴とする。この音を聞きながら練習することで、いつも同じバックスウィング及びダウンスウィングの軌道とスピードとリズムを体得することができる。【選択図】図１
0003215931.tif 000002
【実用新案登録請求の範囲】
【請求項１】
シャフトに複数の穴のあいた、疑似クラブを振る。この時の軌道とスピードによって、穴を通過する空気の風切音が変わる事を利用する。いつも同じバックスウィング及びダウンスウィングが出来ているかを、軌道とスピードとリズムの3つの要素から確認できる事を特徴とするゴルフ練習具。
【請求項２】
疑似クラブのシャフトの外径は１５〜４０ｍｍの範囲とし、肉厚は０．５〜５ｍｍの範囲とし、シャフトにあける空気穴の直径は３〜１５ｍｍの範囲とするゴルフ練習具。
【考案の詳細な説明】
【技術分野】
【０００１】
本考案は、ゴルフスウィングの練習具に関する。
【背景技術】
【０００２】
ゴルフスウィングの練習具としてダウンスウィングの最速点で音の出る器具は知られている。この器具は速度に対応した治具が移動することで音を発生させている。特別な治具を腕に取り付けることで腕の動きを音に変換する練習具が提案されている。他によく使われているツールとしては鏡やビデオがあげられる。前記した方法はどの方法においても、いつも同じ軌道とスピードとリズムで振れているかはチェックする事が難しかった。
【先行技術文献】
【特許文献】
【０００３】
特開H６−３０４２８１は腕の動きを音でチェックする練習具、実用新案２０００−００１７９８はシャフトの内部空間を移動する移動体が端部の受け部で発生する音を利用する練習具である。
【考案の概要】
【考案が解決しようとする課題】
【０００４】
ゴルフスウィングは球を打つ前に素振りが基本となる。適切なスウィングは各人の体型や骨格によって異なるので一番大事な事は自分にあったスウィングの再現性といわれている。これまでこの目的に叶う素振りの適切な練習具がなかった。鏡やビデオを見る方法では、同じ軌道とスピードとリズムで振れているのかが判断できないため、レベルアップに時間がかかっていた。また最速点で音が出る練習具では、どこで最速になっているかはわかるが、やはりいつも同じ軌道とスピードとリズムで振れているかなどは判断が出来なかった。本考案はこれらの課題を解決できる。
【考案の効果】
【０００５】
シャフトに複数の穴のあいた、疑似クラブを振る。この時の軌道とスピードによって、穴を通過する空気の風切音が変わるので、この音を聞きながら素振りをすることでいつも同じバックスウィング及びダウンスウィングが出来ているかを、軌道とスピードとリズムの3つの要素から確認することができる。また簡単な構造であり左右の対象性があることから、右利き左利きを問わず使える。長さと重さの調整が容易にできる事から性別や筋力差を問わずに、目的に叶う練習が可能となる。
【実施例】
【０００６】
以下に添付図面にそって実施例を説明する。疑似クラブはグリップ、シャフト、シャフト重さ調整部、シャフト長さ調整部より構成される。シャフトは金属、樹脂等からなる。重量調整はゴムや金属等を重さ調整部に取り付けて行う。クラブの総重量と長さは、実際に使われているクラブの＋−２０％以内となるようにする（例えば＃１ドライバでは２９０ｇと１１５０ｍｍ、＃８アイアンでは４２０ｇと９４０ｍｍ等）。シャフトの外径は１５〜４０ｍｍの範囲とする。シャフトの肉厚は０．５〜５ｍｍの範囲とする。シャフトにあける空気穴の直径は３〜１５ｍｍの範囲とする。シャフトにあけた穴がほぼ上下になるようにグリップし構えて素振りを行う。この時の風切音を聞きながら、素振りを行う事でバックスウィング及びダウンスウィングスイングがいつも同じ風切音を出すよう、再現のよいスウィングを練習する事ができる。
【図面の簡単な説明】
【０００７】
【図１】ゴルフスウィング練習具のＴＯＰ  viewと  Ｂｏｔｔｏｍ  view  を示した。
【符号の説明】
【０００８】
１・・シャフト上部にあけた複数の空気穴  ２・・シャフト下部にあけた複数の空気穴
３・・グリップ                          ４・・グリップエンド
５・・シャフト上部重量調整部            ６・・シャフト上部長さ調整部    
【図１】
0003215931.tif 000003
【手続補正書】
【提出日】平成30年2月13日(2018.2.13)
【手続補正１】
【補正対象書類名】実用新案登録請求の範囲
【補正対象項目名】請求項１
【補正方法】変更
【補正の内容】
【請求項１】
疑似クラブのシャフトの上部と下部に複数の穴を設けて、疑似クラブを振る時の方向  
やスピードによって疑似クラブ近傍の空気の流れを変化させ、疑似クラブによって発
生する風切音が変わる事を特徴とするゴルフ練習具。
(57)【要約】      （修正有）【課題】手首に装着することで、手首がほんの少し机上から上がることとなり、持つ手を机上に強く押し付けることがなくなり、筆記具は縦、横、円の運動もスムーズにでき、ゆる持ちが可能となって書きやすくなる柔らかな素材のバンドを提供する。【解決手段】手首に装着でき収縮してフィットする柔らかい素材のバンドであって、文字を書く折に小筆で書く時の枕腕法と同じ効果が得られ、筆記具がよく動くことが可能となる。【選択図】図２
0003215915.tif 000002
【実用新案登録請求の範囲】
【請求項１】
文字を書く時に筆記具が縦運動、横運動、円運動がしやすくなるように、小筆で書く時の枕腕法と同じ効果が得られ、ゆるい持ち方、ゆる持ちが可能となる、手首に装着する柔らかな素材のバンド。
【考案の詳細な説明】
【考案の開示】
【考案が解決しようとする課題】
【０００１】字を書くとき、ギュッと握りしめ手首が机上に重く固定されて筆記具の動きが悪くなりやすい。緩い持ち方、ゆる持ちができないため、筆記具の縦方向、横方向、円などの運動がスムーズにできないから、字が書きづらい。
【課題を解決するための手段】
【０００２】手首に柔らかな素材のバンドを装着することで、手首がほんの少し机上から上がることとなり、持つ手を机上に強く押し付けることがなくなり、筆記具は縦、横、円の運動もスムーズにでき、ゆる持ちが可能となって書きやすくなる。
【考案の効果】
【００３】字をきれいに書きたくても筆記具を軽く動かすことができない人も、ゆる持ちバンドを装着することで、手首が机上から浮き、押し付けていた力も減少する。縦、横、円の運動もより大きくスムーズになって字が書きやすくなる。
【図面の簡単な説明】
【図１】ゆる持ちバンドの形状である。素材はやわらかく，装着がしやすいよう伸び縮みする。
【図２】ゆる持ちバンドを装着して、筆記具で字を書いている。
【図１】
0003215915.tif 000003
【図２】
0003215915.tif 000004
【手続補正書】
【提出日】平成30年2月1日(2018.2.1)
【手続補正１】
【補正対象書類名】実用新案登録請求の範囲
【補正対象項目名】全文
【補正方法】変更
【補正の内容】
【実用新案登録請求の範囲】
【請求項１】
文字を書く折に小筆で書く時の枕腕法と同じ効果が得られ筆記具がよく動くことが可能となる、手首に装着でき収縮してフィットする柔らかい素材のバンド。
(57)【要約】      （修正有）【課題】小物を小袋に入れて、粘着剤塗布面にてに貼り付けることができる粘着剤付小袋を提供する。【解決手段】表材（Ａパネル）と裏材（Ｂパネル、Ｃパネル）からなる合成樹脂製の小袋であって、一辺に開口部を形成し、裏材の開口部より、上側をＣパネル、下側をＢパネルとし、小袋のＢパネル部外側上部１に、Ｂパネル部幅方向平行に粘着剤を塗布し、塗布面に離紙２を重ね貼る、さらに、Ｂパネル部上部のＣパネル部内側上部３に、Ｃパネル部幅方向平行に粘着剤をと塗布し、さらに、塗布面に離紙４を重ね貼る。【選択図】図２
0003215916.tif 000002
【実用新案登録請求の範囲】
【請求項１】
合成樹脂性粘着剤付小袋において、袋のＢパネル外側上部に、袋のＢパネル幅方向平行に粘着剤を塗布する、Ｂパネル塗布面に離紙を重ね貼る、Ｂパネル上部のＣパネル内側上部に、袋のＣパネル幅方向平行に粘着剤をと塗布する、Ｃパネル塗布面に離紙を重ね貼る、ＡパネルをＢパネルと同じ深さにする、合成樹脂性粘着剤付小袋。
【考案の詳細な説明】
【技術分野】
【０００１】  合成樹脂性小袋のＢパネルに、粘着剤を塗布した小袋に関する。
【背景技術】
【０００２】  合成樹脂性粘着剤付小袋は、小物を小袋に入れて、粘着剤塗布面にてに貼り付けることの出来る粘着剤付小袋である。
【考案の概要】
【考案が解決しようとする課題】
【０００３】  小袋において、小物を保管する時に、適当な場所に貼り付けることが出来ない。【０００４】  小物、又は、毎日服用の薬等の分別、保管袋の貼り付け用に使用する。【０００５】  小物書類の貼り付け保管用袋に使用する。
【考案が解決するための手段】
【０００６】  合成樹脂性粘着剤付小袋において、袋のＢパネル外側上部に、Ｂパネル幅方向平行に粘着剤を塗布する、Ｂパネル塗布面に離紙を重ね貼る。
【０００７】  前記、Ｂパネル上のＣパネル内側上部に、Ｃパネル幅方向平行に粘着剤をと塗布する、Ｃパネル塗布面に離紙を重ね貼る。
【０００８】  前記、ＡパネルをＢパネルと同じ深さにする、合成樹脂性粘着剤付小袋。
【０００９】
【考案の効果】
【００１０】  本考案の粘着剤付小袋は、小物を保管する時に、適当な場所に貼り付けることが出来る考案である。
【００１１】  小物、又は、毎日服用の薬等の分別保管袋の貼り付けが容易である。
【００１２】  小物書類の貼り付け保管用袋が容易に出来る。
【００１３】  本考案の粘着剤付小袋は、袋内に小物を挿入後、蓋部によつて、封緘することができる。
【本考案の実施例】
【００１３】  本考案の粘着剤付小袋に、分別された、毎日服用の薬を入れて、カレンダーの各曜日に貼り付けておくと、間違い無しに服用ができる。
【００１４】  小物を入れて、見やすい場所に貼り付けて置くと、忘れることがない。
【００１５】  小物書類、たとえば、もらった名刺等を小袋に入れて、名刺ブックに貼り付けて置く等。
【考案の実施するための形態】
【００１６】  合成樹脂性粘着剤付小袋において、袋のＢパネル外側上部に、Ｂパネル幅方向平行に粘着剤１を塗布する、Ｂパネル塗布面に離紙２を重ね貼る。
【００１７】  前記、Ｂパネル上のＣパネル内側上部に、Ｃパネル幅方向平行に粘着剤３を塗布する、Ｃパネル塗布面に離紙４を重ね貼る。
【００１８】  前記、ＡパネルをＢパネルと同じ深さにする、合成樹脂性粘着剤付小袋。
【００１９】  本考案の合成樹脂性粘着剤付小袋は、小物を袋内に挿入後、Ｃパネルの粘着剤塗布面３にて、封緘することができる。
【図面の簡単な説明】
【００２０】
【図１】  本考案の小袋におけるＡ，Ｂ，Ｃパネル断面説明図。
【図２】  Ｂ、Ｃパネル粘着剤塗布部と、離紙を重ね貼る断面説明図。
【図３】  Ａパネル粘着剤塗布部と、離紙を重ね貼る断面説明図。
【図４】  Ｂパネル粘着剤塗布部と、離紙を重ね貼る断面説明図。
【図５】  粘着剤付小袋のカレンダー貼り付け説明図。
【図６】  粘着剤付小袋の名刺貼り付け説明図。
【図７】  粘着剤付小袋の小物袋貼り付け説明図。
【符号の説明】      Ａ  粘着剤付小袋Ａパネル。
Ｂ  粘着剤付小袋Ｂパネル。
Ｃ  本考案の蓋部
１  Ｂパネルの粘着剤塗布面
２  Ｂパネルの離紙
３  Ｃパネルの粘着剤塗布面
４  Ｃパネルの離紙
【図１】
0003215916.tif 000003
【図２】
0003215916.tif 000004
【図３】
0003215916.tif 000005
【図４】
0003215916.tif 000006
【図５】
0003215916.tif 000007
【図６】
0003215916.tif 000008
【図７】
0003215916.tif 000009
【手続補正書】
【提出日】平成30年2月1日(2018.2.1)
【手続補正１】
【補正対象書類名】実用新案登録請求の範囲
【補正対象項目名】全文
【補正方法】変更
【補正の内容】
【実用新案登録請求の範囲】
【請求項１】
合成樹脂性粘着剤付小袋の各パネルにおいて、小袋のＢパネル部外側上部に、Ｂパネル部幅方向平行に粘着剤を塗布し、塗布面に離紙を重ね貼る、さらに、Ｂパネル部上部のＣパネル部内側上部に、Ｃパネル部幅方向平行に粘着剤をと塗布し、さらに、塗布面に離紙を重ね貼る、合成樹脂性粘着剤付小袋。
(57)【要約】      （修正有）【課題】障がい者や高齢者が布団のずれや乱れを直すのに人手を必要とせず、安心して睡眠出来る寝具を提供する。【解決手段】就寝用の掛け具である布団や毛布７の片側に、丸棒４を通す複数の輪３−１ｂを取付け、一本の丸棒４を通すことにより、丸棒４により掛け具が固定され乱れや位置ずれを防ぐ。また掛け具の頭部側中央に目印２ｂを付けることにより、掛け具の位置を確認できる。【選択図】図３
0003215920.tif 000002
【実用新案登録請求の範囲】
【請求項１】
就寝用の掛け具である布団や毛布等の片方図１に示す通り、複数の丸棒を通す輪を取付け、図２に示す通り一本の丸棒を通すことにより、丸棒により掛け具が固定され乱れや位置ずれを防ぐ寝具。
【請求項２】
就寝用の掛け具である布団や毛布等の図２で示す通り、頭部側の中心に目印をつけ、掛け具の位置を確認できる掛け具。
【考案の詳細な説明】
【技術分野】
【０００１】  寝具
【背景技術】
【０００２】就寝中、掛け具である布団や毛布のずれが生じ布団や毛布が身体から外れ、整え直すのが障がい者や高齢者にとって困難であり負担がかかる。
【先行技術文献】
【特許文献】
【０００３】
【特許文献１】特開平１１−２６６９８７  公報
【非特許文献】
【０００４】
【非特許文献】なし
【考案の概要】
【考案が解決しようとする課題】
【０００５】  就寝中、掛け具である布団や毛布のずれが生じ、布団や毛布が身体から外れ、整え直すのが障がい者や高齢者にとって困難な場合多い。
特に、布団に毛布を重ねて使用する場合、それぞれの掛け具が複雑なずれを生じ、整え直すのは不可能な状態になる場合が発生する。
【課題を解決するための手段】
【０００６】布団や毛布などの掛け具の片側の端に３から４ヶ所程度の一本の丸棒を通す輪を図１に示すように取付て、図２に示すように直径３ｃｍ程度の丸棒を串刺し状に挿入すれば、掛け具は丸棒により直線的に固定される。一方掛け具の輪のついていない片側は自由にめくることが出来るので、掛け具は支障なく使用できる。布団や毛布を重ねて使用する場合にもそれぞれの輪を同一の丸棒を挿入することのより、寝具のずれや乱れを防止できる。
【考案の効果】
【０００７】障がい者や高齢者が布団のずれや乱れを直すのに人手を必要とせず、安心して睡眠出来る。
【図面の簡単な説明】
【０００８】
【図１】布団あるいは毛布等の掛け具の頭部側の中央に目印を付け、掛け具の片側に丸棒を通す輪を３ヶ所取付けた状態を示す。
【図２】図１に示す輪の中に丸棒を串刺し状に挿入した状態を示す。
【図３】毛布に頭部側中央に実際に取付けた目印と毛布の片側にゴムベルトで構成される輪を取付け、その中に丸棒を通した状態を示す。」
【考案を実施するための形態】
【０００９】図２に示す通り，布団や毛布等の掛け具の片側に棒を通す輪を取付け、丸棒を通すことにより、棒の重さで掛け具の片側が固定されるので、布団のずれが生じない。頭部側の目印による掛け具の位置を確認できる。
【実施例】
【０００１０】図３に示す通り。
【産業上の利用可能性】
【０００１１】布団や毛布等の掛け具の片側に布製あるいはゴムベルトなどの輪を取付けて、新しい寝具とし、木製や硬質プラスチックあるいは金属製等の丸棒と組合わせれば、新しい需要を期待できる。
【符号の説明】
【０００１２】    １    布団若しくは毛布
２    中央目印
３−１  棒通し用輪を上から平面的に見た図
３−２  棒通し用輪を上から平面的に見た図
３−３  棒通し用輪を上から平面的に見た図
３−１ａ  棒通し用輪を正面から見た図
３−２ａ  棒通し用輪を正面から見た図
３−３ａ  棒通し用輪を正面から見た図
３−３ａ  棒通し用輪を正面から見た図
３−１ｂ  棒通し用輪をゴムベルトで構成し、正面から見た図
３−２ｂ  棒通し用輪をゴムベルトで構成し、正面から見た図
３−３ｂ  棒通し用輪をゴムベルトで構成し、正面から見た図
４    丸棒
５    ３−１ｂを実施した状態を示す
２ｂ  布製の目印を示す
６    ２ｂを実施した状態を示す
７    毛布
【図１】
0003215920.tif 000003
【図２】
0003215920.tif 000004
【図３】
0003215920.tif 000005
【手続補正書】
【提出日】平成30年2月2日(2018.2.2)
【手続補正１】
【補正対象書類名】実用新案登録請求の範囲
【補正対象項目名】請求項１
【補正方法】変更
【補正の内容】
【請求項１】
就寝用の掛け具である布団や毛布の片側に、丸棒を通す複数の輪を取付け、一本の丸棒を通すことにより、前記丸棒により前記掛け具が固定され乱れや位置ずれを防ぐ寝具。
【手続補正２】
【補正対象書類名】実用新案登録請求の範囲
【補正対象項目名】請求項２
【補正方法】変更
【補正の内容】
【請求項２】
前記就寝用の掛け具である布団や毛布において、頭部側の中心に目印をつけ、前記掛け具の位置を確認できる請求項１に記載の寝具。
(57)【要約】      （修正有）【課題】装飾性が高く、紐を替えるのみでその装飾に変化をもたらせることができると共に、通常の靴紐同様に取扱うことができる皮革製平紐形靴紐を提供する。【解決手段】かばんに使用される皮革を前処理した後、なめし工程を施したなめし皮を使用し、幅１４ｍｍ、厚さ０．７ｍｍの皮革を互いに対向する両側縁同士を接着、圧着等することにより、幅７ｍｍ、厚さ１．５ｍｍの平紐状に形成し、革製靴紐とする。一般的な革製以外の幅７ｍｍ、厚さ２．０ｍｍの扁平な革製以外のものと変わりなく、従来に無い斬新な革製靴紐として商品価値の向上および商品アイテムの多様化向上することができ、デザイン性と実用性とを兼ね備える。【選択図】図１
0003215913.tif 000002
【実用新案登録請求の範囲】
【請求項１】
本製品は皮革製の靴紐であって、かばんに使用される皮革を使用した靴紐。
【請求項２】
前処理をした原料皮をなめすなめし工程と、なめし皮を裁断して従来の平紐形靴紐の厚さ２ｍｍから、皮革を用い上記工程を行うことにより厚さを１．５ｍｍにする仕上げ工程を得た革製靴紐。
【考案の詳細な説明】
【技術分野】
【０００１】本考案は、主に靴紐、他にはかばんや袋物の止め紐、その他の用途に広く供し得る革紐に関するものである。
【背景技術】
【０００２】従来より、色彩や模様を施した靴紐が販売されているものの、その形状については、丸紐形または平紐形というありふれたものが殆どであり、近年では伸縮性があるゴム等を用いた靴紐が展開され、仕上がった靴紐のデザイン価値は決して高いものではなかった。靴紐における商品価値の向上及び商品アイテムの多様化という観点から、従来に無い靴紐意匠の登場が望まれていた。
【先行技術文献】
【特許文献】
【０００３】
【特許文献１】実用新案登録第３１７３１７３号  公報
【特許文献２】特開平８−５７１７０  公報
【考案の概要】
【考案が解決しようとする課題】
【０００４】本考案は上述の従来技術を背景として、技術上の性能を満足しかつ靴紐の意匠をさらに改良すべくなされたものであって、具体的には、従来に無い斬新な靴紐意匠を具えかつ革製靴紐として商品価値の向上および商品アイテムの多様化を向上することができ、そしてデザイン性に著しく優れた靴紐を提供することを目的とする、靴紐に用いて好適な革紐を得るにある。
【課題を解決するための手段】
【０００５】本考案の革製靴紐は、従来の革製靴紐のような丸紐形というありふれたものではなく、平紐形の靴紐をかばんに使用する皮革を使用して形成する。靴紐の場合、一般に厚さが２ｍｍ、横幅７ｍｍの扁平な革製以外のものとなる。とくに皮革製の靴紐の多くは、丸紐形、角紐形が多く、従来の皮革製品以外の形状と変わりなかったが、本考案の靴紐は、皮革製平紐形で厚さを１．５ｍｍにすることにより、デザイン性と実用性とを兼ね備え、問題点を解決する靴紐である。
【考案の効果】
【０００６】上述のように本考案の革製靴紐は、特に特別な係合部を設けなくても用いることができるので、靴のデザインが限定されにくいうえ、靴紐だけを購入して、既存の靴に用いることもできる。一般的な平紐形と大差がないため、バランス良くハトメに通しやすく、皮革製のため耐久性にも優れ様々な靴への取り付けが可能である個性的な靴を演出ができる。
【図面の簡単な説明】
【０００７】
【図１】本考案の実施形態を示す平面図である。
【図２】図１の断面図である。
【図３】端末部斜視図である。
【図４】本考案の使用状態図である。
【考案を実施するための形態】
【０００８】図１は、本考案の靴紐１を示す。靴紐１は、かばんに使用される皮革からなる。また、靴紐１は、様々な種類の靴３、ハイカットシューズ、ブーツ、キッズシューズ、スポーツシューズ、スニーカー、レザーシューズ、革靴に使用することができる。
【０００９】図２は、本考案の靴紐１の断面を示す。本考案は、長尺に裁断された幅１４ｍｍ、厚さ０．７ｍｍの皮革を互いに対向する両側縁同士を、接着、圧着等することにより、平紐状に形成されるもので、そのことにより強度をもたらすことができる。
【００１０】図３は、本考案の靴紐１の端末部斜視図である。端末部４の皮革の厚さは０．５ｍｍにより薄くすることにより丸環５にて端末部４処理をきれいに仕上げることにより、様々な靴３のハトメ２に通りやすく、運動靴のハトメ２のないような穴だけの靴３にも、多くの場合使用することが可能である。
【００１１】図４は、靴３のハトメ２に靴紐１を通し、靴紐１を結んだ本考案の仕様状態図を示す。本考案は、いかなる靴３にも対応ができるよう、皮革製の強い素材で、様々なハトメ２に通りやすく、運動靴のハトメ２のないような穴だけの靴３にも、多くの場合使用することが可能である。
【実施例】
【００１２】前処理工程：  かばんに使用される皮革を塩づけして乾燥処理し、これを水づけ、裏打ち、石灰づけ、脱毛、分割、脱灰および融解など公知の方法で前処理する。【００１３】なめし工程：  前処理して調整された原料皮を一旦、侵酸処理したのち、引張強度アップのためのアルミニウム粉を含むなめし液（クロム塩）に該原料皮を浸漬する。【００１４】裁断工程：  なめし工程後のなめし皮の背中部分を頭部から尻部に至る長手方向に沿って裁断し、幅１４ｍｍ、長さ１．５ｍ強の長さを持つ長尺の紐素材をつくった。【００１５】仕上げ工程：  紐素材を定法通り染色、加脂、水絞り、次いで乾燥して幅１４ｍｍ、厚さ０．７ｍｍの製品革紐をつくった。【００１６】なお、本考案方法では、図２に示すごとく厚さを１．５ｍｍにする。端末部４においては、０．５ｍｍ程度まで薄くすることにより丸環５にて端末部４の処理をきれいに仕上げ、靴紐１をつくった。
【符号の説明】
【００１７】１      靴紐
２      ハトメ
３      靴
４      端末部
５      丸環
【図１】
0003215913.tif 000003
【図２】
0003215913.tif 000004
【図３】
0003215913.tif 000005
【図４】
0003215913.tif 000006
【手続補正書】
【提出日】平成30年2月7日(2018.2.7)
【手続補正１】
【補正対象書類名】実用新案登録請求の範囲
【補正対象項目名】全文
【補正方法】変更
【補正の内容】
【実用新案登録請求の範囲】
【請求項１】
前処理をした原料皮をなめすなめし工程と、なめし皮を裁断して平紐形靴紐を幅８ｍｍ以下、厚さ１．５ｍｍ以下に仕上げ工程を経た、平紐形靴紐と同様の仕様にて仕上げた皮革製であるところを特徴とする皮革製平紐形靴紐。
(57)【要約】      （修正有）【課題】躯体を傷つけることなく、専門の職人でなくても箱体ユニットの設置、取り外し、移設を行うことが出来る箱体ユニットの固定装置を提供する。【解決手段】ナット４を溶接した床基盤材２に床仕上げ材３を挟んで台輪６をボルト５で締結し、台輪に箱体ユニットを構成する壁パネル９をボルトとナットで締結することにより箱体ユニットを自立させる箱体ユニットの固定装置である。躯体を傷つけることなく箱体ユニットの設置及び取り外しが可能となる。更に、床基盤材と台輪及び箱体ユニットを構成する壁パネルをボルトとナットで締結する工法の採用で、専門の職人でなくても箱体ユニットの設置及び取り外しが可能となる。【選択図】図２
0003215955.tif 000002
【実用新案登録請求の範囲】
【請求項１】
箱体ユニットの自立に足る重量と強度を有し、躯体に接合されてなく且つナットを溶接した床基盤材と台輪からなり、床仕上げ材を挟んで台輪と床基盤材に溶接されたナットをボルトで締結し、台輪と箱体ユニットを構成する壁パネルをボルトとナットで締結することにより箱体ユニットを自立させ、躯体を傷つけることなく、且つ専門の職人でなくても箱体ユニットの設置及び取り外しができることを特徴とする箱体ユニットの固定装置
【考案の詳細な説明】
【技術分野】
【０００１】本考案は、躯体を傷つけることなく、専門の職人でなくても箱体ユニットの設置が行え、また、箱体ユニットの取り外しや移設が必要になった場合も、躯体を損傷することなく取り外しや移設が行える箱体ユニットの固定装置に関するものである。
【背景技術】
【０００２】従来では、箱体ユニットの設置は、専門の職人によって箱体ユニットを構成する壁パネルや床パネルを接合金物や接着剤などを用いて躯体に接合して設置するという工法が行われている。【０００３】また、箱体ユニットを構成する壁パネルや床パネルが躯体に接合されているため、取り外しや移設が必要になった時は、それらの接合部を解体しなければならず、躯体に損傷を与えるという欠点があった。
【考案の概要】
【考案が解決しようとしている課題】
【０００４】本考案は、以上のような従来の欠点に鑑み、箱体ユニットを構成する壁パネルを固定装置に接合することにより、箱体ユニットを躯体に接合することなく自立させ、また、箱体ユニットの取り外しや移設が必要になった場合も、固定装置から壁パネルを外すだけで躯体を損傷させることなく箱体ユニットを取り外せることを目的としている。
更に、壁パネルと固定装置との接合はボルトとナットで行えるため、専門の職人でなくても作業が行えることを目的としている。
【課題を解決するための手段】
【０００５】上記の目的を達成するために、本考案は、箱体ユニットを構成する壁パネルを床基盤材と台輪からなる固定装置にボルトとナットで締結することにより、躯体と接合することなく箱体ユニットを自立させることで前述の課題を解決するものである。
【考案の効果】
【０００６】上述のように、本考案は、固定装置により箱体ユニットを躯体に接合することなく自立させることが出来るので、躯体を傷つけることなく箱体ユニットの設置及び取り外しが行える。更に、箱体ユニットと固定装置との接合は、ボルトとナットを用いた接合方法を用いており、専門の職人でなくても箱体ユニットの設置及び取り外しが行える。
【図面の簡単な説明】
【０００７】
【図１】箱体ユニットの姿図である
【図２】箱体ユニットの固定装置である
【考案を実施するための形態】
【０００８】箱体ユニットの固定装置は、台輪と床基盤材とボルトとナットからなり、床基盤材は箱体ユニットを自立させるに足る重量及び強度を有しており、床基盤材に溶接されたナットに床仕上げ材を挟んで台輪をボルトで締結し、台輪に箱体ユニットを構成する壁パネルをボルトとナットで締結することにより箱体ユニットを自立させることができる。また、箱体ユニットは躯体へ接合していないので、躯体を傷つけることなく箱体ユニットの設置や取り外しを行うことが出来る。
【実施例】
【０００９】以下、添付図面に従って固定装置を説明する。
天井パネル１０と壁パネル９からなる箱体ユニットの設置を例に説明する。
ナット４が溶接された床基盤材２を躯体１の上に接合することなく設置し、床基盤材２と台輪６を、床仕上げ材３を挟んでボルト５とナット４で締結する。
台輪６に壁パネル９をボルト７とナット８で締結することにより壁パネル９を自立させる。以上のように、壁パネル９と天井パネル１０で構成する箱体ユニットは、ナット４が溶接された床基盤材２と台輪６からなる固定装置に締結することにより自立することが出来、且つボルトとナットでそれぞれを締結する工法により、専門の職人でなくても躯体を傷つけることなく箱体ユニットの設置や取り外しが出来る。
【符号の説明】
【００１０】  １  躯体
２  床基盤材
３  床仕上げ材
４  ナット
５  ボルト
６  台輪
７  ボルト
８  ナット
９  壁パネル
１０  天井パネル
【図１】
0003215955.tif 000003
【図２】
0003215955.tif 000004
(57)【要約】      （修正有）【課題】介護用歩行機に座接した被介護人の座接位置の安全度を確保するための介護用歩行機における安全位置表示体を提供する。【解決手段】被介護人の座接する座接用クッション板の取り付けられている座接用サイドフレーム７は上下動機構部により上下動されるが座接用クッション板が安全の位置に有るか否かは本考案の介護用歩行機における安全位置表示体により明確に確保される。即ち、座接用サイドフレーム７の上下位置が介護用歩行機における安全位置表示体１の緑色の安全表示部１ａにある場合は安全位置であり、黄色の警戒表示部１ｂは警戒表示であり、赤色の危険表示部１ｃは座接用クッション板が危険な位置にあることを示す。【選択図】図２
0003215958.tif 000002
【実用新案登録請求の範囲】
【請求項１】
タイヤやキャスタを支持する下部フレームと該下部フレームから立ち上がるガイド柱体と該ガイド柱体に摺動自在に支持される摺動柱体と該摺動柱体に回動自在に、かつ上下動自在に支持され座接用クッション板や背当てを保持する座接用サイドフレームと該座接用サイドフレームを上下動させる上下動機構部と把持用部材やブレーキ等を有する介護用歩行機に設けられ前記座接用サイドフレームの上下移動位置を安全な位置に保持するための安全位置表示体であって、該安全位置表示体は前記ガイド柱体の上部に取り付けられる表示板体であって、その上下の位置に赤印の危険表示部と黄色の警戒表示部とを表示すると共に中間部に緑色の安全表示部を表示するものからなることを特徴とする介護用歩行機における安全位置表示体。
【考案の詳細な説明】
【技術分野】
【０００１】  本考案は、被介護人が座接した状態で自力で目的位置に行ける介護用歩行機に設けられた座接位置の安全表示をするための介護用歩行機における安全位置表示体に関する。
【背景技術】
【０００２】  被介護人が座接した状態で自力で目的場所に行くように形成されている介護用歩行機で被介護人が座接する座接用クッション板が回動すると共に上下動するものは従来技術として見当らない。また、この座接上下位置を安全位置に表示する本考案のような安全位置表示体は見当らない。
【考案の概要】
【考案が解決しようとする課題】
【０００３】  被介護人が座接した状態で自力で歩行して目的地に行くことが出来る介護用歩行機において座接位置の高さを安全位置に表示することが必要であり、かつ簡便のものが必要である。本考案はその要請に答えるために考案されたものであり、簡便で、コンパクトで見易い表示体を提案することを目的とする。
【課題を解決するための手段】
【０００４】  本考案は以上の目的を達成するために考案されたものであり、請求項１の考案は、タイヤやキャスタを支持する下部フレームと該下部フレームから立ち上がるガイド柱体と該ガイド柱体に摺動自在に支持される摺動柱体と該摺動柱体に回動自在に、かつ上下動自在に支持され座接用クッション板や背当てを保持する座接用サイドフレームと該座接用サイドフレームを上下動させる上下動機構部と把持用部材やブレーキ等を有する介護用歩行機に設けられ前記座接用サイドフレームの上下移動位置を安全な位置に保持するための安全位置表示体であって、該安全位置表示体は前記ガイド柱体の上部に取り付けられる表示板体であって、その上下の位置に赤印の危険表示部と黄色の警戒表示部とを表示すると共に中間部に緑色の安全表示部を表示するものからなることを特徴とする。
【考案の効果】
【０００５】  本考案の請求項１の介護用歩行機における安全位置表示体によれば、被介護人が座接している座接用クッション板が安全な高さにあることが明確に表示されると共に、警戒位置や危険位置が明示されるために安全な高さ調整が安全に、かつ容易に出来る効果を上げることが出来る。
【図面の簡単な説明】
【０００６】
【図１】  本考案の安全位置表示体を設けられる介護用歩行機の全体構造を示す斜視図。
【図２】  本考案の安全位置表示体の取り付け位置と安全位置表示体を示す部分正面図。
【図３】  本考案の安全位置表示体を示す正面図。
【考案を実施するための形態】
【０００７】  以下、本考案の介護用歩行機における安全位置表示体の実施の形態を図面に基づいて詳述する。
【実施例１】
【０００８】  まず、本考案の取り付けられている介護用歩行機の全体構造の概要を説明する。
タイヤ２やキャスタ３が取り付けられている下部フレーム４にはガイド柱体５が回動可能に取り付けられ、使用時には図示の如く立ち上がった状態に保持される。このガイド柱体５には摺動柱体６が摺動自在に保持される。摺動柱体６には座接用サイドフレーム７が回動自在に保持される。この座接用サイドフレーム７には被介護人が座接する座接用クッション板８や背当て９が支持されている。また、座接用サイドフレーム７は上下動機構部１０により上下動可能に支持されている。その他保持用部材１１やブレーキ１２等が設けられている。【０００９】  本考案の介護用歩行機における安全位置表示体１は図１に示すようにガイド柱体５の上方の位置に取り付けられている。図２はその部分を拡大表示したものである。【００１０】  介護用歩行機における安全位置表示体１は図３に示すように細長のプレートからなり上下には赤印の危険表示部１ｃとそれに近接して黄色の警戒表示部１ｂがあり、上下の警戒表示部１ｂ，１ｂの間には緑色の安全表示部１ａが夫々表示されている。【００１１】  前記のように被介護人が座接の座接用クッション板８は座接用サイドフレーム７に取り付けられているため座接用クッション板８の上下位置は座接用サイドフレーム７の上下動によって位置づけされる。
従って、座接用サイドフレーム７が前記の危険表示部１ｃや警戒表示部１ｂや安全表示部１ａに位置付けする事により座接用クッション板８の位置の安全度を確認する事が出来る。即ち、座接用サイドフレーム７の位置が安全表示部１ａの範囲にある場合は座接用クッション板８の位置が安全位置にある事がわかる。よって、上下動機構部１０によって座接用サイドフレーム７を上下動される場合に安全位置を明確に確認する事が出来る。これにより座接用クッション板８に座接している被介護人の安全度が確保される。【００１２】  本考案は以上の説明の内容からなるが、その内容は以上の説明に限定するものではなく、同一技術的範疇のものが適用されることは勿論である。
【産業上の利用可能性】
【００１３】  本考案の介護用歩行機における安全位置表示体は図１に示す介護用歩行機に適用されたものであるが、他の形態の歩行機にも適用可能であり、歩行機以外の上下動をする部材には使用可能であり、その利用範囲は極めて広い。
【符号の説明】
【００１４】  １    介護用歩行機における安全位置表示体
１ａ  緑色の安全表示部
１ｂ  黄色の警戒表示部
１ｃ  赤色の危険表示部
２    タイヤ
３    キャスタ
４    下部フレーム
５    ガイド柱体
６    摺動柱体
７    座接用サイドフレーム
８    座接用クッション板
９    背当て
１０  上下動機構部
１１  保持用部材
１２  ブレーキ
【図１】
0003215958.tif 000003
【図２】
0003215958.tif 000004
【図３】
0003215958.tif 000005
(57)【要約】      （修正有）【課題】外れにくく防音効果のある椅子の足カバーを提供する。【解決手段】椅子の足カバーの内側に滑り止めのゴム素材２と椅子の足カバー内側底面部分に防音加工が施された素材３を設けることにより椅子の足カバーが外れにくく防音効果も期待できる。【選択図】図２
0003215959.tif 000002
【実用新案登録請求の範囲】
【請求項１】
椅子の足カバーの内側にゴム素材を設けることを特徴とする椅子の足カバー。
【請求項２】
椅子の足カバーの内側底面に防音効果が施された素材を設けることを特徴とする椅子の足カバー。
【考案の詳細な説明】
【技術分野】
【０００１】  本考案は、椅子の足カバーに関するものである。
【背景技術】
【０００２】  従来の椅子の足カバーは毛糸や綿でできていた。
【考案が解決しようとする課題】
【０００３】  従来の椅子の足カバーは外れやすく防音効果もない。
【課題を解決するため手段】
【０００４】  本考案は、椅子の足カバーの内側にゴム素材を設け、内側底面に防音効果のある素材を設ける。
【考案の効果】
【０００５】  本考案は、椅子の足カバーの内側にゴム素材と内側底面に防音効果のある素材を設けることによりカバーは外れにくくなり防音効果も期待できる。
【図面の簡単な説明】
【０００６】
【図１】本考案の外れにくい防音椅子足カバーの一実施例を示す正面図である。
【図２】本考案の外れにくい防音椅子足カバーの内側断面図である。
【考案を実施するための形態】
【０００７】  椅子足カバー本体の内側にゴム素材（２）を設け、内側のカバーの底面（３）に防音加工が施された素材を設ける。
【符号の説明】
【０００８】  １  椅子足カバー本体
２  ゴム素材
３  防音加工素材
【図１】
0003215959.tif 000003
【図２】
0003215959.tif 000004
(57)【要約】      （修正有）【課題】筆圧を加減しやすく、筆記具の操作性を向上させ、書きやすくなる筆記具を提供する。【解決手段】ツバ１を筆記具２に付ける。【選択図】図２
0003215956.tif 000002
【実用新案登録請求の範囲】
【請求項１】
ツバを付けた筆記具。
【考案の詳細な説明】
【技術分野】
【０００１】  本考案は、ツバを付けた筆記具に関するものである。
【背景技術】
【０００２】  従来、ツバを付けた筆記具はなかった。
【考案の開示】
【考案が解決しようとする課題】
【０００３】  従来は次のような欠点があった。
従来の筆記具は握りやすくするため、握る部分を太くしたり、指が滑りにくくしたものであり、筆圧を加減しやすく、筆記具の操作性を向上させ、書きやすくするものはなかった。
本考案は、上記の欠点を除くためになされたものである。
【課題を解決するための手段】
【０００４】  ツバを筆記具に付ける。
本考案は、以上のような構成により問題点を解決している。
【考案の効果】
【０００５】  筆記具に付けたツバに指が引っ掛かるので筆圧の加減がしやすく、筆記具の操作性が向上して書きやすくなる。
【考案を実施するための最良の形態】
【０００６】  以下、本考案の実施例について説明する。
ツバ１を筆記具２に付ける。
図２はツバ１を筆記具２に付けたものである。
ツバ１は筆記具２と着脱自在であるが、筆記具２と一体化してもよい。
ツバ１の材質は硬質でも軟質でもゴムやシリコンなどでもよい。
筆記具２は鉛筆、シャープペンシル、芯ホルダー、ボールペン、万年筆、筆、マーカー、ガラスペン、鉄筆、電子機器の画面に文字を書くタッチペンなどのあらゆる、すべての筆記具である。
シャープペンシルやボールペンなどは、芯の出る円錐形状の先端部品とペン軸からなる外観上の部品構成において、芯の出る先端部品とペン軸の間にツバを挾み込んで付けてもよい。
短くなった鉛筆の補助筆記具である鉛筆ホルダーにツバを付けてもよい。
厚み、形状、大きさ、位置、素材をいろいろにすることにより、多種多様にすることができる。
【図面の簡単な説明】
【０００７】
【図１】本考案の斜視図である。
【図２】本考案の筆記具に付けた斜視図である。各図の各部において主要部以外は省略している。各図の各部において波線以外の部分は省略している。
【符号の説明】
【０００８】  １    ツバ
２    筆記具
【図１】
0003215956.tif 000003
【図２】
0003215956.tif 000004
(57)【要約】      （修正有）【課題】視界快適３６０度ＵＶ帽子を提供する。【解決手段】麦わら帽子本体１のつば全体または、つば前方部分に視界が快適なＵＶ加工を施したフィルム２を設けることにより光の乱反射を遮られ上下左右の視界が快適になり頭部と顔全体を紫外線から保護できることによりサングラスと日傘が不要になり両手が使えて便利になる。また、帽子のつば先にワイヤー素材３を設けることによりつばの形が自由自在に変えられ個性的な御洒落が楽しめる。【選択図】図１
0003215960.tif 000002
【実用新案登録請求の範囲】
【請求項１】
麦わら帽子等の、つば全体または、つば前方部分に視界が快適で光の乱反射が抑えられるＵＶ加工のフィルムを設けることを特徴とする帽子。
【請求項２】
麦わら帽子等のつばの先にワイヤー素材を設けることを特徴とする帽子。
【考案の詳細な説明】
【技術分野】
【０００１】  本考案は、帽子に関するものである。
【背景技術】
【０００２】  従来のＵＶ加工のサンバイザーは前方のつば部分だけＵＶ加工していた。【０００３】  従来の麦わら帽子等は麦素材やペーパーやパナマ草で紫外線から顔を保護していた。
【考案が解決しようとする課題】
【０００４】  ＵＶ加工のサンバイザーは見栄えが悪く前方からの日焼け防止にしかならないので左右からの頬周辺は紫外線から守れない。また、頭部も紫外線から守れない。
【０００５】  麦わら帽子等を紫外線防止のため深く被ると視界が遮られ見通しが悪くなってしまう。
【０００６】  麦わら帽子のつばの形は変えられないので個性的な御洒落ができない。
【課題を解決するための手段】
【０００７】  本考案は、麦わら帽子等のつばを広げ、つば全体または、つば前方部分に光の乱反射を抑える見通しが良いＵＶ加工フィルムを設け、つば先に、つばの形が自由自在に変えられるワイヤー素材を設ける。
【考案の効果】
【０００８】  本考案は、麦わら帽子等のつば全体または、前方部分に光の乱反射を抑えられ見通しが良いＵＶ加工フィルムを設けたので上下左右の視界が快適で、光の乱反射も抑えられる。また、３６０度の直射日光から顔全体と頭部を保護することができることによりサングラスや日傘が不要になり両手が使えて便利になる。
【０００９】  本考案は、麦わら帽子等のつば先にワイヤー素材を設けることによりつばの形が自由自在に変えられ個性的な御洒落が楽しめる。
【図面の簡単な説明】
【００１０】
【図１】本考案の視界快適３６０度ＵＶ帽子の一実施例を示す正面図である。
【考案を実施するための形態】
【００１１】  麦わら帽子本体（１）のつば全体（２）または、つばの前方部分（２）に光の乱反射を遮り見通しが良いＵＶ加工されたフィルムを設ける。
【００１２】  麦わら帽子本体（１）のつば先（３）にワイヤー素材を設け自由自在につばの形を変えられるようにする。
【符号の説明】
【００１３】    １  麦わら帽子本体
２  ＵＶ加工フィルム
３  ワイヤー素材
【図１】
0003215960.tif 000003
(57)【要約】      （修正有）【課題】切り花を買ってから持ち帰るまで水切れさせず、持運びしやすいカップ切り花を提供する。【解決手段】切り花５を短く切り揃え、車のカップホルダーに入る位の大きさの使い捨てプラスチックカップ１に、水６とともに入れる。【選択図】図１
0003215944.tif 000002
【実用新案登録請求の範囲】
【請求項１】
短く切り揃えられた切り花を車のカップホルダーに入る位の大きさで、プラスチックで作られた使い捨てのカップに水と共に入れることを特徴とする、カップ切り花。
【考案の詳細な説明】
【技術分野】
【０００１】本考案は、花屋さん、スーパー、道の駅等で販売されている切り花をカップに入れたものであり、切り花に関するものである。
【背景技術】
【０００２】従来、切り花は６０ｃｍくらいの長さに切り揃えたものが束にしてあって、花屋、スーパー、道の駅の主に店頭で、バケツ等の水を溜める容器に数十束一緒に入れて売られており、客がその中から数束を取って買い上げるようになっている。客は、買った切り花を店で、出来るだけ傷まないように新聞紙等に包んでもらって持ち帰っている。
【考案の概要】
【考案解決しようとする課題】
【０００３】切り花を買ってから持ち帰るまで水切れさせず、持運びしやすい切り花を提供する。
【課題を解決するための手段】
【０００４】切り花を３０ｃｍ程度の長さに切り揃えたものを花束にし、コンビニでアイスコーヒーを提供する時の底面の直径が６．５ｃｍ程度、飲み口の直径が９．５ｃｍ程度で、高さが１０．５ｃｍ程度のカップに前記花束と水を入れて、カップに入れた切り花として販売する。
【発明の効果】
【０００５】水切れさせずに切り花を持ち帰ることができる。また、コンビニで販売されているアイスコーヒーのコップ程度の大きさのものに入れているので、車で来ている買い物客は、車のドリンクホルダーに入れて、簡単に持ち帰ることができる。
【０００６】仏花として供える場合、現在は小さな仏壇が結構増えてきているので、昔からある仏花は大きすぎる場合があるので、３０ｃｍよりも小さな花束にして、一回り小さい切り花の花束として販売することもできる。カップも小さめにすることも出来る。
【図面の簡単な説明】
【０００７】
【図１】本考案の正面図
【考案を実施するための形態】
【０００８】切り花を短く切り揃えコンビニで売っているアイスコーヒーくらいの、プラスチックのカップに入れてカップごと販売する。
【実施例】
【０００９】以下添付図に従って、一実施例を説明する。図１の１は、プラスチック等可塑性のある、安価な水を通さない軽い素材で作られたカップに、３０ｃｍ程度に切り揃えられた切り花５を水６とともに入れたものである。２は、前記カップの底面の６ｃｍ程度の直径であり、３は、前記カップの飲み口の直径で９・５ｃｍ程度のものであり、４は、前記カップの高さで１０・５ｃｍ程度である。
【符号の説明】
【００１０】１プラスチックで作った、コンビニで販売されている、アイスコーヒーの大きさ位の使い  捨てカップ
２直径６ｃｍ程度のカップの底面
３直径９・５ｃｍ程度のカップの飲み口
４１０・５ｃｍ程度のカップの高さ
５３０ｃｍ程度に切り揃えられた切り花
６水
【図１】
0003215944.tif 000003